(57)【要約】  モバイルコンピュータは、ノートブックコンピュータベースと、透明ＬＣＤ構成と、取り外し可能な多機能無線ディジタイザタブレットを具備することができる。ノートブックコンピュータベースはデータを記憶し、検索し、処理しうる電子構成要素および無線通信回路を含むことができる。透明ＬＣＤ構成は画像輝度やコントラストなどのプリセットディスプレイ特性を有するＬＣＤパネルからなる。取り外し可能な多機能無線ディジタイザタブレットは、ディジタイザタブレット、無線通信回路、磁気ストライプリーダ、電池、種々のタイプのカメラ、筐体およびモバイルコンピュータナビゲーション／制御機能を具える。
2008511043.tif 000002
【特許請求の範囲】
【請求項１】
第１の筐体と、
半波長ミラーを有する第１の偏光位相差膜と、
第１の拡散表面または回折表面または素子と、
冷陰極蛍光ランプまたは発光ダイオードでその周囲を取り囲まれた第１の光学級プラスチックと、
第２の拡散表面と、
第１の半透過性膜と、
ＬＣＤパネルと、
第２の半透過性膜と、
第３の拡散表面と、
冷陰極蛍光ランプまたは発光ダイオードでその周囲を取り囲まれた第２の光学級プラスチックと、
第４の拡散表面または回折表面または素子と、
半波長ミラーを有する第２の偏光位相差膜と、
第２の筐体と、
を具える透明スクリーンであって、
前記第１の偏光位相差膜が前記第１の筐体と前記第１の拡散表面との間に位置し、前記第１の拡散表面が前記第１の偏光位相差膜と前記第１の光学級プラスチックとの間に位置し、前記第１の光学級プラスチックが前記第１の拡散表面と前記第２の拡散表面との間に位置し、前記第２の拡散表面が前記第１の光学級プラスチックと前記第１の半透過性膜との間に位置し、前記第１の半等価性膜が前記第２の拡散表面と前記ＬＣＤパネルとの間に位置し、前記ＬＣＤパネルが前記第１の半透過性膜と前記第２の半透過性膜との間に位置し、前記第２の半透過性膜が前記ＬＣＤパネルと前記第３の拡散表面との間に位置し、前記第３の拡散表面が前記第２の半透過性膜と前記第２の光学級プラスチックとの間に位置し、前記第２の光学級プラスチックが前記第３の拡散表面と前記第４の拡散表面との間に位置し、前記第４の拡散表面が前記第２の光学級プラスチックと前記第２の偏光位相差膜との間に位置し、前記第２の偏光位相差膜が前記第４の拡散表面と前記第２の筐体との間に位置し、前記すべての素子が互いに結合されている透明スクリーン。
【請求項２】
前記第１の筐体が透明なLexan(登録商標)の透明筐体である請求項１記載の透明スクリーン。
【請求項３】
前記第２の筐体が透明なLexan(登録商標)の透明筐体である請求項１記載の透明スクリーン。
【請求項４】
前記第１の偏光位相差膜の半波長ミラーの正反射率が１５パーセント以上である請求項１記載の透明スクリーン。
【請求項５】
前記第２の偏光位相差膜の半波長ミラーの正反射率が１５パーセント以上である請求項１記載の透明スクリーン。
【請求項６】
前記第１の拡散表面または回折表面または素子の表面ヘーズが３０パーセント以下である請求項１記載の透明スクリーン。
【請求項７】
前記第２の拡散表面の表面ヘーズが６０パーセント以下である請求項１記載の透明スクリーン。
【請求項８】
前記第３の拡散表面の表面ヘーズが６０パーセント以下である請求項１記載の透明スクリーン。
【請求項９】
前記第４の拡散表面または回折表面または素子の表面ヘーズが３０パーセント以下である請求項１記載の透明スクリーン。
【請求項１０】
当該透明スクリーンが周囲光で照明される請求項１−９の何れかに記載の透明スクリーン。
【請求項１１】
当該透明スクリーンがその照明のために当該透明スクリーンの側面、上面および底面上に照明光源を具える請求項１−９の何れかに記載の透明スクリーン。
【請求項１２】
当該透明スクリーンがそのエッジ上の照明光源、周囲光およびバックライト照明表面で照明される請求項１−９の何れかに記載の透明スクリーン。
【請求項１３】
当該透明スクリーン上の画像が透明スクリーンの両側で見える請求項１−９の何れかに記載の透明スクリーン。
【請求項１４】
当該透明スクリーン上の画像が垂直軸を中心に反転できる請求項１−９の何れかに記載の透明スクリーン。
【請求項１５】
１つ以上のフォトセンサを更に具える請求項１記載の透明スクリーン。
【請求項１６】
前記フォトセンサが当該透明スクリーン上の種々の位置に位置する請求項１５記載の透明スクリーン。
【請求項１７】
前記フォトセンサが当該透明スクリーンのエッジに隣接して位置する請求項１６記載の透明スクリーン。
【請求項１８】
前記フォトセンサが当該透明スクリーンの両側面上に位置する請求項１５記載の透明スクリーン。
【請求項１９】
前記フォトセンサからの信号を処理する制御回路を更に具える請求項１記載の透明スクリーン。
【請求項２０】
前記フォトセンサからのアナログ信号をディジタル信号に変換するアナログ−ディジタル変換器を更に具える請求項１９記載の透明スクリーン。
【請求項２１】
ディジタイザ表面と、
スタイラスと、
無線通信回路とを具え、
前記無線通信回路がコンピュータと通信することを特徴とする取り外し可能な多機能無線ディジタイザタブレット。
【請求項２２】
照明光源を更に具え、前記照明光源とディジタイザ表面が同一の広がりを持つ請求項２１記載の取り外し可能な無線ディジタイザタブレット。
【請求項２３】
カメラおよびクレジットカードリーダからなる群のうちの１つ以上を更に具える請求項２１記載の取り外し可能な無線ディジタイザタブレット。
【請求項２４】
前記無線通信回路がブルーツースおよび無線ＵＳＢ（ＷＵＳＢ）からなる群から選ばれた請求項２１記載の取り外し可能な無線ディジタイザタブレット。
【請求項２５】
カーボンファイバで構成された請求項２１記載の取り外し可能な無線ディジタイザタブレット。
【請求項２６】
コンピュータベースと、請求項１に記載の透明スクリーンと、請求項２１に記載の取り外し可能な無線ディジタイザタブレット２１とを具え、
前記無線通信回路が前記コンピュータベースと通信し、
前記コンピュータベースと、前記透明スクリーンと、前記取り外し可能な無線ディジタイザタブレットとが、タブレットモードおよびラップトップモードからなる群から選ばれる２つのモードに結合されるディジタイザタブレットコンピュータ。
【請求項２７】
前記コンピュータベースが、プロセッサ、メモリ記憶装置および無線通信回路を具える請求項２６記載のディジタイザタブレットコンピュータ。
【請求項２８】
前記ラップトップモードは、前記透明スクリーンのエッジが前記コンピュータベースのエッジと結合され、前記取り外し可能な無線ディジタイザタブレットが前記透明スクリーンから取り外され、前記コンピュータベースと前記取り外し可能な無線ディジタイザタブレットが無線通信回路を介して通信する請求項２６記載のディジタイザタブレットコンピュータ。
【請求項２９】
前記ラップトップモードは、前記透明スクリーンのエッジが前記コンピュータベースのエッジと結合され、前記取り外し可能な無線ディジタイザタブレットが前記透明スクリーンの上面に結合され、前記透明スクリーンの照明光源として作用する請求項２６記載のディジタイザタブレットコンピュータ。
【請求項３０】
前記タブレットモードは、前記透明スクリーンと前記コンピュータベースとの間に前記取り外し可能な無線ディジタイザタブレットを具え、前記取り外し可能な無線ディジタイザタブレットが前記透明スクリーンのバックライトを提供する請求項２６記載のディジタイザタブレットコンピュータ。
【請求項３１】
前記取り外し可能な無線ディジタイザタブレットがカメラおよびクレジットカードリーダからなる群のうちの１つ以上を更に具える請求項２６記載のディジタイザタブレットコンピュータ。
【請求項３２】
前記無線通信回路がブルーツースおよび無線ＵＳＢ（ＷＵＳＢ）からなる群から選ばれた請求項２６記載のディジタイザタブレットコンピュータ。
【請求項３３】
前記取り外し可能な無線ディジタイザタブレットがカーボンファイバで構成された請求項２６記載のディジタイザタブレットコンピュータ。
【請求項３４】
前記透明スクリーンが、取り外し時に、周囲光により照明される請求項２６記載のディジタイザタブレットコンピュータ。
【請求項３５】
前記透明スクリーンがそのエッジ上の照明光源、周囲光およびバックライト照明表面で照明される請求項２６記載のディジタイザタブレットコンピュータ。
【請求項３６】
前記取り外し可能な無線ディジタイザタブレットが前記透明スクリーンと磁気的に結合される請求項２６記載のディジタイザタブレットコンピュータ。
【請求項３７】
テレビジョン、スマートフォン、プロジェクタおよび外部モニタからなる群から選ばれた外部装置への出力端子を更に具えた請求項２６記載のディジタイザタブレットコンピュータ。
【請求項３８】
前記取り外し可能な無線ディジタイザタブレットを前記ディジタイザタブレットコンピュータから取り外し、前記取り外し可能な無線ディジタイザタブレットを用いて前記ディジタイザタブレットコンピュータと遠くから無線通信により情報のやり取りをする請求項２６記載のディジタイザタブレットコンピュータの使用方法。
【請求項３９】
前記透明スクリーンに画像を表示し、その画像をスクリーンの両側から見る請求項２６記載のディジタイザタブレットコンピュータの使用方法。
【請求項４０】
前記クレジットカードリーダによりクレジットカード支払いを受け入れ、前記取り外し可能な無線ディジタイザタブレットによりクレジットカード支払いに対する署名を受け入れる請求項３１記載のディジタイザタブレットコンピュータの使用方法。
【請求項４１】
前記透明スクリーン上の画像を垂直軸を中心に反転させる請求項２６記載のディジタイザタブレットコンピュータの使用方法。
【請求項４２】
透明ＬＣＤスクリーンの両面に画像を表示する方法であって、
請求項１記載の透明スクリーン上に画像を生成するステップを具え、該画像ステップはＬＣＤドライバを用いて前記ＬＣＤパネルの所定の画素群を活性化させることにより画像を生成する画像表示方法。
【請求項４３】
前記画像生成ステップにおいて、第１表示面上に画像を、第２表示面上に前記画像とは寸法と向きが異なるリフォーマット画像を表示させるステップを具える請求項４２記載の画像表示方法。
【請求項４４】
前記ＬＣＤスクリーンの照明のために周囲光の使用を最適化するステップを具える請求項４２記載の画像表示方法。
【請求項４５】
前記透明スクリーンに１つ以上のフォトセンサを設けるる請求項４２記載の画像表示方法。
【請求項４６】
前記フォトセンサを前記透明スクリーン上の種々の位置に位置させる請求項４５記載の画像表示方法。
【請求項４７】
前記フォトセンサを前記透明スクリーンのエッジに隣接して位置させる請求項４６記載の画像表示方法。
【請求項４８】
前記フォトセンサを前記透明スクリーンの両面上に位置させる請求項４５記載の画像表示方法。
【請求項４９】
前記フォトセンサからの信号を処理する制御システムを具える請求項４５記載の画像表示方法。
【請求項５０】
前記フォトセンサから周囲光の光量に比例するアナログ信号電圧を発生させる請求項４９記載の画像表示方法。
【請求項５１】
前記フォトセンサから、前記スクリーンを曇った日の屋外または屋内で使用する場合より晴れた日の屋外で使用する場合により高い電圧信号を発生させる請求項５０記載の画像表示方法。
【請求項５２】
前記フォトセンサからのアナログ信号をアナログ−ディジタル変換器でディジタイザ信号に変換する請求項５０記載の画像表示方法。
【請求項５３】
前記ディジタル信号を前記フォトセンサに電気的に結合された前記制御システムに伝送する請求項５２記載の画像表示方法。
【請求項５４】
２つ以上のフォトセンサを用いる場合には、２つ以上のフォトセンサの電圧信号を合成し、平均値、二乗平均値または他のユーザ決定値を計算して単一の出力フォトセンサ電圧信号を発生させる請求項５０記載の画像表示方法。
【請求項５５】
前記出力フォトセンサ電圧信号を前記透明スクリーンに対するデフォルト照明設定またはユーザ調節可能な輝度またはコントラスト設定により設定された基準電圧と比較する請求項５０記載の画像表示方法。
【請求項５６】
前記出力フォトセンサ電圧信号が前記基準値を超える場合、前記制御システムがバックライト照明装置に前記透明スクリーンの照明を下げる出力信号を送出する請求項５５記載の画像表示方法。
【請求項５７】
前記出力フォトセンサ電圧信号が前記基準値より低い場合、前記制御システムが前記透明スクリーンの照明を上げる出力信号を送出する請求項５５記載の画像表示方法。
【請求項５８】
透明スクリーンにおける周囲光の使用を制御する方法であって、
請求項１５に記載の透明スクリーンの照明を調整するステップを具え、該調整ステップは、前記フォトセンサからのアナログ信号をディジタル信号に変換し、該ディジタル信号を前記フォトセンサに電気的に結合された制御システムに伝送し、前記ディジタル信号を前記透明スクリーンに対するデフォルト照明設定またはユーザ調節可能な輝度またはコントラスト設定により設定された基準電圧と比較し、前記ディジタル信号が前記基準値を超える場合に、前記制御システムが前記透明スクリーンの照明を下げる出力信号を送出し、前記ディジタル信号が前記基準値より低い場合に、前記制御システムが前記透明スクリーンの照明を上げる出力信号を送出する制御方法。
【請求項５９】
２つ以上のフォトセンサを用いる場合には、２つ以上のフォトセンサの電圧信号を合成し、平均値、二乗平均値または他のユーザ決定値を計算して単一の出力フォトセンサ電圧信号を発生させる請求項５８記載の制御方法。
【発明の詳細な説明】
【技術分野】
【０００１】
本発明は、より機能的なモバイルコンピュータを得るのに有用な新規なシステム、方法および装置に関する。
本発明は、更に、ディスプレイを照明するために周囲光を最適に利用する液晶ディスプレイ（ＬＣＤ）に有用な新規なシステム、方法および装置に関する。
【背景技術】
【０００２】
本発明は、より機能的なモバイルコンピュータを得るのに有用な新規なシステム、方法および装置、特に、より機能的な液晶ディスプレイ（ＬＣＤ）構成、および、特に、より機能的なディジタイザタブレットに関する。特に、透明ＬＣＤ構成は、画像がディスプレイデバイスの両側に位置する視聴者に同時に見えるように画像を第１表示面上および第２表示面上に表示するとともに、特に、このディスプレイデバイスはディスプレイを照明するのために周囲光を最適に利用する。ディジタイザタブレットは、特に、取り外し可能な多機能無線ディジタイザタブレットである。
【０００３】
一般にラップトップと呼ばれているノートブックコンピュータは、持ち運びが容易で一時的空間での使用に便利な一般にブリーフケースより小さいバッテリ駆動または交流駆動コンピュータである。一般に、ＬＣＤが画像表示のためにノートブックコンピュータベースと結合される。ノートブックコンピュータベースは、データを記憶し、読み出し、処理する電子構成要素、および無線通信回路を含むことができる。
【０００４】
一体化されたディジタイザタブレット機能を具えるノートブックコンピュータはタブレットコンピュータと呼ばれている。最近のタブレットコンピュータはディジタイザタブレットとしても機能するディスプレイを実装している。ディジタイザタブレットは、ペン型のスタイラスを使ってディジタイザタブレットのどこに情報を記憶するかユーザが指定することを可能にする。このようなタブレットコンピュータ用にウインドウズ（登録商標）／リナックスのようなソフトウエアが入手可能である。最近のタブレットコンピュータ（スレート型タブレットコンピュータおよびコンバーチブル型タブレットコンピュータを含む）はキーボードを含むより標準的なノートブックコンピュータに変換することができる。従って、ユーザは入力のためにキーボード、マウスおよびディジタイザタブレットを使い分けることができる。
【０００５】
更に、現在のタブレットコンピュータは、ディスプレイ筐体内にディジタイザタブレットをディスプレイの背後に配置することによりディジタイザタブレットとスクリーンを組み合わせている。ディスプレイの背後にディジタイザタブレットを配置することにより、ユーザはスタイラスをディスプレイ上で直接使用でき、ディジタイザタブレットはスタイラスからの入力を取得できる。この構成は、ディジタイザタブレットがディスプレイに結合されるためにユーザを制限する。ディジタイザタブレット、特に現在のタブレットコンピュータと関連するディジタイザタブレットは、ディジタイザタブレットをディスプレイから取り外す能力に欠けており、特に、取り外したときにタブレットコンピュータと相互作用する無線通信回路が欠けている。更に、現在のＬＣＤ、特にノートブックコンピュータおよびタブレットコンピュータと関連するＬＣＤは、画像を単一ＬＣＤの両側から同時に見ることができる透明ディスプレイ構成が欠けている。
【０００６】
背景技術として、米国特許第５、８５６，８１９号はディスプレイデバイスの両側で聴者に見えるように画像を表示する２方向提示ディスプレイデバイスに関する。このディスプレイデバイスは、互いに反対方向に向いた画面を構成する１対のスクリーンを具えている。
【０００７】
次に、例えば、米国特許第６，７４４，４８１号は両面にディスプレイ能力を持つ液晶パネル（ＬＣＤ）に関する。このＬＣＤは、液晶モジュール、第１フロント偏光子、第１リア偏光子、第１反射器、第２フロント偏光子、第２リア偏光子および第２反射器を具える。もとのフロント偏光子の一部分を第１リア偏光子および第１反射器と置き換え、もとのリア偏光子およびもとの反射器の一部分を第１フロント偏光子と置き換えることにより、両面にディスプレイ能力を持つＬＣＤが実現されるといわれている。
【０００８】
更に、米国特許第５，７９３，３６０号は、書込み／消去ディジタイザペン、タブレットおよびタブレットドライバをコンピュータおよび対応するディスプレイスクリーンと関連して使用するディジタイザイレーザシステムおよび方法を教示している。このシステムでは、ユーザは１つのスタイラスストロークでテキストまたはセルを選択し、除去する。１つのモーションで、ユーザは消去スタイラスを選択すべき資料に動かし、押し付けて選択し、選択の終了時にスタイラスをタブレットから持ち上げて選択した資料を除去または消去する。このシステムは、所定のカーソル形状がスクリーン上で使用中であるときのみキーストローク機能によりテキストまたはオブジェクトをディスプレイから消去できる。キーストローク機能は一群の可能な消去キーストロークから選択され、選択されたキーストロークは使用中のカーソル形状に基づくため、不所望な消去キーストロークが所定の状態で使用されることはない。更に、スクリーン上に表示されるカーソル形状が、スタイラスが書込みモードか消去モードか位置決めモードかに応じて変化する。この特許はディジタイザタブレットに関する従来技術の十分な議論を示している。
【０００９】
最後に、米国特許第６，５４２，１４５号は自己照明型ＬＣＤスクリーンデバイスに関する。このデバイスは、第１偏光子層、第１透明基板、第１透明電極層、液晶層、第２透明電極層、第２透明基板および第２偏光子層を有するＬＣＤモジュールと、該ＬＣＤモジュールを照明する発光ダイオード（ＬＥＤ）モジュールとを具え、発光ダイオードモジュールは第３透明電極層、誘起発光物質含有層、第４電極層および基板を有するとともに、適当なら、第３および第４電極層の間に他の層が付加される。
【００１０】
従って、改良されたＬＣＤ装置が必要とされており、画像がディスプレイデバイスの両側に位置する視聴者に同時に見えるように画像を第１表示面上および第２表示面上に表示する透明スクリーンを具えるＬＣＤ構成および周囲照明光をディスプレイの照明のために最適に利用するディスプレイデバイスが必要とされている。
【００１１】
更に、ノートブックコンピュータまたはタブレットコンピュータ上のディスプレイデバイスから取り外し可能なディジタイザタブレットが必要とされている。更に、ホストモバイルコンピュータと無線モードで通信可能なディジタイザタブレットが必要とされている。
【００１２】
透明ＬＣＤ構成は、ノートブック／タブレットコンピュータ、携帯電話、ラップトップコンピュータ、携帯情報端末またはその他のアクセサリにも必要とされ、その他のアクセサリには、画像がディスプレイデバイスの両側に位置する視聴者に同時に見えるように画像を第１表示面上および第２表示面上に表示する透明スクリーンおよび周囲照明光をディスプレイの照明のために最適に利用するデバイスが有益であるキャッシュレジスタ、ショーウインドウ、および電子ゲートが含まれるが、これらに限定されない。
【発明の開示】
【発明が解決しようとする課題】
【００１３】
従って、本発明は、より機能的なモバイルコンピュータを提供する新規なシステム、方法および装置、特に、より機能的なＬＣＤ構成、および、特に、より機能的なディジタイザタブレットに関する。モバイルコンピュータは、ノートブックコンピュータベース、透明ＬＣＤ構成、および取り外し可能な多機能無線ディジタイザタブレットを具えることができる。特に、この透明ＬＣＤ構成は、画像がディスプレイデバイスの両側に位置する視聴者に同時に見えるように画像を第１表示面上および第２表示面上に表示するとともに、特に、このディスプレイデバイスは周囲照明光をディスプレイの照明のために最適に利用する。特に、このディジタイザタブレットは、ユーザがある程度離れた位置からホストコンピュータと相互作用させることができる取り外し可能な多機能無線ディジタイザタブレットである。
【課題を解決するための手段】
【００１４】
本願発明の一つの態様では、透明ＬＣＤ構成と例えばヒンジ機構で結合され透明ＬＣＤ構成を開閉できるノートブックコンピュータベースを含むより機能的なモバイルコンピュータを提供する。このモバイルコンピュータでは、透明ＬＣＤ構成は、同時に、取り外し可能なモバイル多機能無線ディジタイザタブレットと結合でき、この取り外し可能な多機能無線ディジタイザタブレットは透明ＬＣＤ構成の背後に取り付けることができる。この構成は標準的なノートブックコンピュータに類似させることができ、またノートブックコンピュータに類似するよう位置しているときに標準的なコンバーチブルタブレットコンピュータに類似させることができる。
【００１５】
本願発明の第２の態様では、透明ＬＣＤと結合されたノートブックコンピュータベースを含むモバイルコンピュータを提供する。このモバイルコンピュータでは、透明ＬＣＤは取り外し可能なモバイル多機能無線ディジタイザタブレットと結合され、この取り外し可能な多機能無線ディジタイザタブレットはノートブックコンピュータベースと透明ＬＣＤとの間に位置する。この構成は標準的なスレートタブレットコンピュータに類似させることができ、またスレートタブレットコンピュータに類似するよう位置しているときに標準的なコンバーチブルタブレットコンピュータに類似させることができる。
【００１６】
本願発明の第３の態様では、透明ＬＣＤと結合されたノートブックコンピュータベースを含むモバイルコンピュータを提供する。このモバイルコンピュータでは、取り外し可能な多機能無線ディジタイザタブレットが透明ＬＣＤから及びコンピュータベースから取り外される。取り外し可能な多機能無線ディジタイザタブレットはコンピュータベースと、取り外し可能な多機能無線ディジタイザタブレットおよびノートブックコンピュータベース内に位置する無線回路により通信できる。
【００１７】
本発明の第４の態様では、透明ＬＣＤ構成を提供する。一例では、この透明ＬＣＤは、第１筐体、例えばLexan(登録商標)の透明筐体と、１５−６０パーセントの反射率を有する半波長ミラーを具える第１偏光位相差膜、例えばAdvanced Link Photonics (ALP), Inc（カリフォルニア州アービン所在）により製造されている偏光位相差膜と、表面ヘーズが０−３０パーセントの第１拡散表面または回折表面または素子と、周囲を取り囲む冷陰極蛍光ランプ（ＣＣＦＬ）または発光ダイオード（ＬＥＤ）を具えた第１光学級プラスチック板と、表面ヘーズが０−６０パーセントの第２拡散表面と、第１半透過膜、例えばＡＬＰ社により製造されている半透過膜と、ＬＣＤパネルと、第２半透過膜と、表面ヘーズが０−６０パーセントの第３拡散表面と、周囲を取り囲む冷陰極蛍光ランプ（ＣＣＦＬ）または発光ダイオード（ＬＥＤ）を具えた第２光学級プラスチック板と、表面ヘーズが０−３０パーセントの第４拡散表面または回折表面または素子と、１５−６０パーセントの反射率を有する半波長ミラーを具える第２偏光位相差膜、例えばＡＬＰ社により製造されている偏光位相差膜と、第２筐体、例えばLexan(登録商標)の透明筐体と、を具える。
【００１８】
特定の実施態様では、透明スクリーンは、周囲光により、スクリーンの枠に設けたバックライトにより、またはそれらの組み合わせにより照明する。
【００１９】
他の態様では、１つ以上のフォトセンサをドライバ回路に接続し、ドライバ回路が、１つ以上のフォトセンサにより検出された周囲光の光量に従ってバックライトにより供給される照明を調整することによって、スクリーンに与えるデフォルト照明設定またはスクリーンに対するユーザ調節可能な輝度設定を変化させる。透明スクリーンは、更に、１つ以上のフォトセンサを具え、これらのフォトセンサは透明スクリーン上の種々の位置に位置させ、透明スクリーンのエッジに隣接して位置させることができる。これらのフォトセンサは透明スクリーンの両面に位置させてもよい。透明ＬＣＤ構成は、フォトセンサからの信号を処理する制御システムを具える。フォトセンサは周囲光の光量に比例するアナログ電圧信号を発生する。フォトセンサは、スクリーンが晴れた日に屋外で使用される場合には曇った日に屋外で使用されるもしくは室内で使用される場合よりも高い電圧を発生する。制御システムは、更に、フォトセンサからのアナログ信号をディジタル信号に変換するアナログ−ディジタル変換器を具え、そのディジタル信号がフォトセンサに電気的に結合された制御システムに送られる。２つ以上のフォトセンサを使用する場合には、２以上のフォトセンサの電圧信号を合成し平均値、二乗平均値または他のユーザ決定値を計算して単一の出力フォトセンサ電圧信号を発生させ、この出力フォトセンサ電圧信号を透明スクリーンに対するデフォルト照明設定またはユーザ調節可能な輝度またはコントラスト設定により設定された基準電圧値と比較する。出力フォトセンサ電圧信号が基準電圧値を超える場合には、制御システムはバックライト装置に透明スクリーンの照明を下げる出力信号を送る。出力フォトセンサ電圧信号が基準電圧値より低い場合には、制御システムは出力信号をバックライト装置に透明スクリーンの照明を上げる出力信号を送る。
【００２０】
本発明の第５の態様では、透明ＬＣＤ構成、特に画像を第１表示面上および第２表示面上に表示して画像がディスプレイデバイスの両側に位置する視聴者に同時に見えるようにした透明ＬＣＤ構成を提供する。一実施態様では、これに限定されないが、コンピュータシステムを含むシステムから電気ビデオ信号および制御信号を受信し、装置ドライバを経て透明ＬＣＤに送る。他の実施態様では、スクリーン上の画像を垂直軸を中心に反転させることができる。寸法および向きの変化を含む画像のリフォーマットを装置ドライバにより達成することができる。
【００２１】
使用するＬＣＤは背面照明ＬＣＤまたは前面照明ＬＣＤとすることができる。背面照明ＬＣＤでは、ＬＣＤに向けられる光源はディスプレイの背後に組み込まれたバックライトアセンブリであり、背面照明は一般に均一な画像を生成する。他方、前面照明ＬＣＤはＬＣＤの背後に組み込まれた反射器を具え、この反射器がＬＣＤを経て到達する周囲光を反射する。ＬＣＤは周囲光を利用してディスプレイを照明し、ＬＣＤで生成された画像を可視化することができる。
【００２２】
本発明の第６の態様では、透明ＬＣＤ構成を提供し、この透明ＬＣＤ構成では、人口光源としてＣＣＦＬを使用し、その放射光は、第１光学級プラスチック（ウェーブガイド）１１０を通過した後、均等な光反射および拡散を与えるのための第１拡散表面１００、ＬＣＤパネル１４０の活性スクリーン領域全域に均等な光分布を与えるための第２拡散表面１２０、増強された周囲光照明のための第１半透過膜１３０、およびＬＣＤパネル１４０を通過する。半波長ミラーを具えた第１偏光位相差膜９０が第１拡散表面１００のＬＣＤパネル１４０に隣接する側とは反対側に位置し、この第１偏光位相差膜９０は第１拡散表面１００、第１光学級プラスチック１１０、第２拡散表面１２０および第１半透過膜１３０からの反射光を阻止する機能を有し、同じプロセスがＬＣＤパネル１４０の反対側でも繰り返される。ＬＣＤパネルの反対側は人口光源としてCCFLを使用し、その放射光は、第２光学級プラスチック（ウェーブガイド）１７０を通過した後、均等な光反射および拡散を与えるための第４拡散表面１８０、ＬＣＤパネル１４０の活性スクリーン領域全域に均等な光分布を与えるのための第３拡散表面１６０、増強された周囲光照明のための第２半透過膜１５０、およびＬＣＤパネル１４０を通過する。半波長ミラーを具えた第２偏光位相差膜１９０が第４拡散表面１８０のＬＣＤパネル１４０に隣接する側とは反対側に位置し、この第２偏光位相差膜１９０は第４拡散表面１８０、第２光学級プラスチック１７０、第３拡散表面１６０および第２半透過膜１５０からの反射光を阻止する機能を有する。
【００２３】
本発明の第７の態様では、透明ＬＣＤ構成、特に周囲照明光をディスプレイの照明のために最適に利用する透明ＬＣＤ構成を提供し、この透明ＬＣＤ構成では、放射周囲光は、第１偏光位相差膜９０を通過した後、均等な光反射および拡散を与えるための第１拡散表面１００、第１光学級プラスチック１１０、ＬＣＤパネル１４０の活性スクリーン領域全域に均等な光分布を与えるための第２拡散表面１２０、増強された周囲光照明のための第１半透過膜１３０、およびＬＣＤパネル１４０を通過する。半波長ミラーを具えた第１偏光位相差膜９０が第１拡散表面１００のＬＣＤパネル１４０に隣接する側とは反対側に位置し、この第１偏光位相差膜９０は第１拡散表面１００、第１光学級プラスチック１１０、第２拡散表面１２０および第１半透過膜１３０からの反射光を阻止する機能を有し、この半波長ミラーを具えた第１偏光位相差膜９０は周囲光の透過を許す。同じプロセスがＬＣＤパラメータ１４０の反対側でも繰り返される。ＬＣＤパネルの反対側は周囲光をディスプレイの照明のために最適に利用することができ、放射周囲光は、第２偏光位相差膜１９０を通過した後、均等な光反射および拡散を与えるための第４拡散表面１８０、第２光学級プラスチック１７０、ＬＣＤパネル１４０の活性スクリーン領域全域に均等な光分布を与えるための第３拡散表面１６０、増強された周囲光照明のための第２半透過膜１５０、およびＬＣＤパネル１４０を通過する。半波長ミラーを具えた第２偏光位相差膜１９０が第４拡散表面１８０のＬＣＤパネル１４０に隣接する側とは反対側に位置し、この第２偏光位相差膜１９０は第４拡散表面１８０、第２光学級プラスチック１７０、第３拡散表面１６０および第２半透過膜１５０からの反射光を阻止する機能を有し、この半波長ミラーを具えた第２偏光位相差膜１９０は周囲光の透過を許す。
【００２４】
本発明の第８の態様では、取り外し可能な多機能無線ディジタイザタブレットを提供する。一実施態様では、この取り外し可能な多機能無線ディジタイザタブレットは、ディジタイザタブレット、無線通信回路、磁気ストライプリーダ、電池、種々のカメラ、筐体およびモバイルコンピュータナビゲーション／接続機能を具える。この取り外し可能な多機能無線ディジタイザタブレットはスタイラスと結合して、ユーザにホストコンピュータの無線制御を与え、種々の任意の機能、例えばホストモバイルコンピュータのナビゲーションおよび制御、ユーザ自身の処理中における情報の取得、ＰＯＳクレジット／デビットカード処理、およびオーディオ／ビデオキャプチャ、を実行することができる。
【００２５】
本発明の第９の態様では、１以上のフォトセンサを具える透明ＬＣＤ構成を提供する。フォトセンサは透明スクリーン上の種々の位置に位置させることができる。フォトセンサは透明スクリーンのエッジに隣接して位置させることができるとともに、透明スクリーンの両面に位置させることができる。この透明ＬＣＤ構成は更にフォトセンサからの信号を処理する制御システムを具えることができる。この制御システムは、フォトセンサからのアナログシステムをディジタル信号に変換するアナログ−ディジタル変換器を具えることができる。
【発明を実施するための最良の形態】
【００２６】
本発明は、明細書に記載する特定の方法論、化合物、材料、製造技術、使用方法、および応用に限定されず、これらは変更可能であると理解されたい。明細書で使用する用語は特定の実施態様を説明するためにのみ使用され、本発明の範囲を限定する意図はないと理解されたい。明細書および特許請求の範囲において、「複数」と特定されていない構成要素も１つを意味するとは限らず、複数を意味することもある点に注意されたい。また、「または」は断りがない限り排他的論理より論理和を意味すると理解されたい。文脈上他の意味に解すべき場合を除いて、近似を表すものと解釈される言語はそのように理解されたい。
【００２７】
断らない限り、明細書で使用するすべての技術用語および科学用語は当業者が一般に理解しているのと同じ意味である。好ましい方法、技術、装置および材料が記載されているが、これらに類似または等価の任意の方法、技術および材料を本発明の実施または試験に使用できる。明細書に記載した構造はこのような構造に機能的に等価なものも意味する。明細書に引用した文献は参考のために示した。
【００２８】
「透明」とは、光を透過し拡散してその材料を通して物体を、変化する、好ましくは制御された明瞭度で、見ることができる特性を有する材料を意味する。「透明」は、「物体をその材料を通して明瞭に見ることができない光透過および拡散特性を有する材料として定義される「半透明」を含む。
【００２９】
「伝送」とは、ある人または場所から他の人または場所へ送るまたは運ぶ手段と定義される。
【００３０】
図につき説明すると、図１は本発明の一つの実施態様を示す。図示のモバイルコンピュータは、ノートブックコンピュータベースが透明ＬＣＤ構成と結合され、同時に、取り外し可能な多機能無線ディジタイザタブレットが透明ＬＣＤ構成の背面に取り付けられていて、このモバイルコンピュータのポジショニングは典型的なノートブックコンピュータに類似している。この実施態様では、取り外し可能な多機能無線ディジタイザタブレット６０は、透明ＬＣＤ構成２０の背面と磁気的に結合でき、ディスプレイの両面観察が可能な態様で使用しないとき、バックライト照明の増強を与えることができる。
【００３１】
図２は本発明の他の実施態様を示す。図示のモバイルコンピュータは、透明ＬＣＤ構成２０と結合されたノートブックコンピュータベース３０を含み、透明ＬＣＤ構成２０は取り外し可能な多機能無線ディジタイザタブレット６０と結合され、取り外し可能な多機能無線ディジタイザタブレット６０はノートブックコンピュータベースと透明ＬＣＤ構成２０との間に位置する。この実施態様では、ユーザはスタイラスを直接透明ＬＣＤ構成２０の上に当てることができ、このとき取り外し可能な多機能無線ディジタイザタブレット６０がＬＣＤを介してスタイラス入力データを収集する。上記の構成は、コンバーチブルタブレットコンピュータをスレートタブレットコンピュータに類似するように位置させると、典型的なスレートタブレットコンピュータまたは典型的なコンバーチブルタブレットコンピュータに類似させることができる。この実施態様では、取り外し可能な多機能無線ディジタイザタブレット６０はノートブックコンピュータベース３０と磁気的に結合でき、ディスプレイの両面観察を可能とする態様で使用されないとき、取り外し可能な多機能無線ディジタイザタブレット６０はバックライト照明の増強を与える。
【００３２】
図３は、本発明の他の実施態様を示す。図示のモバイルコンピュータは、透明ＬＣＤ構成２０と、例えばこれを開閉可能とするヒンジ機構で結合されたノートブックコンピュータベース３０を具え、透明ＬＣＤ構成２０は取り外し可能な多機能無線ディジタイザタブレット６０と同時に結合でき、取り外し可能な多機能無線ディジタイザタブレット６０は透明ＬＣＤ構成２０の背面に装着できる。上記の構成は、コンバーチブルタブレットコンピュータをノートブックコンピュータに類似するように位置させると、典型的なノートブックコンピュータまたは典型的なコンバーチブルブレットコンピュータに類似させることができる。この実施態様では、取り外し可能な多機能無線ディジタイザタブレット６０は透明ＬＣＤ構成２０の背面と磁気的に結合でき、ディスプレイの両面観察を可能とする態様で使用されないとき、取り外し可能な多機能無線ディジタイザタブレット６０はバックライト照明の増強を与える。
【００３３】
図４は本発明の他の実施態様を示し、この態様では、取り外し可能な多機能無線ディジタイザタブレット６０が透明ＬＣＤ構成２０の背面に装着される。更に、図４はノートブックコンピュータベース３０内に位置するＣＤ／ＤＶＤドライバ５０を示す。この実施態様は典型的なノートブックコンピュータに類似する。
【００３４】
図５は本発明の一つの実施態様を示す。これは、透明ＬＣＤ構成２０と結合されたノートブックコンピュータベース３０を含み、取り外し可能な多機能無線ディジタイザタブレット６０が透明ＬＣＤ構成２０から取り外され且つコンピュータベース３０から取り外されているモバイルコンピュータである。取り外し可能な多機能無線ディジタイザタブレット６０は、このディジタイザタブレット６０およびノートブックコンピュータベース３０内に位置する無線回路を介してコンピュータベース３０と通信できる。この実施態様では、取り外し可能な多機能無線ディジタイザタブレット６０が透明ＬＣＤ構成２０の背面から取り外されて透明ＬＣＤ構成２０の背面が露出しており、透明ＬＣＤ構成２０は画像がディスプレイデバイスの両側に位置する視聴者に同時に見えるように画像を第１表示面上および第２表示面上に表示し、表示画像は垂直軸を中心に反転させることができる。更に、透明ＬＣＤ構成２０はディスプレイの照明のために周囲光を最適に利用するとともに、透明ＬＣＤ構成２０内に位置する光源で照明することもできる。
【００３５】
本発明の他の実施態様を図６に示す。これは、取り外し可能な多機能無線ディジタイザタブレット６０が透明ＬＣＤ構成２０の背面から取り外されているモバイルコンピュータである。取り外し可能な多機能無線ディジタイザタブレット６０はノートブックコンピュータベースの前方にあり、クレジット／デビットカード処理のための統合磁気ストライプリーダ４０とスタイラス７０を示す。スタイラス７０は取り外し可能な多機能無線ディジタイザタブレット６０とともに使用し、モバイルコンピュータを制御または操作することができる。取り外し可能な無線ディスプレイタブレット６０は、コンピュータとの通信に使用する無線技術の通信可能範囲内の任意の場所で使用できる。更に、ノートブックコンピュータベースに組み込まれたＣＤ／ＤＶＤドライバ５０が示されている。
【００３６】
使用するＬＣＤは背面照明ＬＣＤまたは正面照明ＬＣＤとすることができる。背面照明ＬＣＤでは、ＬＣＤに向けられる光源はディスプレイの背後に組み込まれたバックライトであり、バックライト照明は一般により均一な画像を提供する。他方、前面照明ＬＣＤはＬＣＤの背後に組み込まれた反射器を具え、反射器に到来する周囲光をＬＣＤへと反射する。あるＬＣＤは周囲光をディスプレイの照明に使用し、ＬＣＤにより生成された画像を可視化する。
【００３７】
特定の実施態様では、透明スクリーンは、周囲光により、バックライトにより、スクリーンの枠上の照明光源により、または前記の光源の任意の組み合わせにより照明することができる。
【００３８】
電気ビデオ信号および制御信号は、これに限定されないがコンピュータシステムを含むシステムから受信し、デバイスドライバを経てＬＣＤスクリーンに伝送することができる。更に他の実施態様では、スクリーン上の画像を垂直軸を中心に反転させることができる。寸法および向きの変化を含む画像のリフォーマットはデバイスドライバにより達成することができる。
【００３９】
本発明の一実施態様は、透明ＬＣＤと結合されたノートブックコンピュータベースを含む、例えばモバイルコンピュータを提供し、このモバイルコンピュータにおいては、透明ＬＣＤが取り外し可能な多機能無線ディジタイザタブレットと結合され、取り外し可能な多機能無線ディジタイザタブレットがノートブックコンピュータベースと透明ＬＣＤとの間に位置する。上記の構成は、コンバーチブルタブレットコンピュータをスレートタブレットコンピュータに類似するよう位置させると、典型的なスレートタブレットコンピュータに類似する、または、スレートタブレットコンピュータに類似するものとし得る。取り外し可能な多機能無線ディジタイザタブレットは磁石で所定の位置に保持できる。スレートタブレットモードでは、スタイラスをスクリーン上で使用して下部のディスプレイタブレットを駆動でき、従ってユーザはデータの処理や描画を行うことができ、一般にタブレットコンピュータを任意の他のタブレットコンピュータのように使用することができる。取り外し可能な多機能無線ディジタイザタブレットは、例えば取り外し可能な多機能無線ディジタイザタブレット内の電池を充電するコンピュータベースとの接続によって再充電することができる。
【００４０】
タブレットコンピュータがノートブックコンピュータとして位置するとき、取り外し可能な多機能無線ディジタイザタブレットはモバイルコンピュータから取り外すことができ、コンピュータは一般に標準のノートブックコンピュータのように動作する。ノートブックコンピュータとして位置させている間、ユーザはスタイラスを直接取り外し可能な多機能無線ディジタイザタブレットの上で使用できる。従って、取り外し可能な多機能無線ディジタイザタブレットは、例えば無線ＵＳＢ（ＳＰＩ）またはBluetooth技術のような無線通信プロトコルによりコンピュータベースと通信できる。ノートブックモードでは、ディジタイザタブレットは、例えば無線回路により遠くからタブレットコンピュータを制御できる。このような位置の間は、透明ＬＣＤ構成は両側から見ることもできる。ＬＣＤは周囲光、例えば太陽光で照明しても、ＬＣＤパネルに組み込まれた人口照明光源で照明してもよい。透明スクリーンはスクリーンの両側から見ることもできる。背面側からディスプレイを見ると、水平方向に反転した画像を見ることになる。他の人への提示のために、ユーザは、背面側から見た画像が反転しないように、例えば垂直軸を中心とする画像の反転を選択することができる。
【００４１】
本発明のタブレットコンピュータは、標準的なノートブックコンピュータとして位置する間、通常のノートブックコンピュータおよびタブレットコンピュータより幾つかの利点を提供する。例えば、取り外し可能な多機能無線ディジタイザタブレットは離れた位置で使用し、無線回路によりコンピュータベースと通信することによりホストコンピュータを制御できる。スクリーンは透明であり、観察者が前からも後からも見ることができ、より便利なビューを与える。
【００４２】
取り外し可能な多機能無線ディジタイザタブレットはクレジットカードリーダを含むこともできる。クレジットカードリーダは、例えばPOS (point of sale)購入情報を受け取るのに使用でき、ディジタイザタブレットはこれらのクレジットカード支払いに対してサインをするのに使用できる。ディジタイザタブレットはディジタイザタブレットに入力するためのディジタルスタイラスも含む。モバイルコンピュータは、手書き文字認識付きソフトウエア、サインキャプチャ、スタイラスナビゲーションおよび他のソフトウエアアプリケーションを組み込むことができる。
【００４３】
モバイルコンピュータは標準ノートブック(ラップトップ)コンピュータの要素またはタブレットコンピュータの要素を含むことができる。例えば、モバイルコンピュータは、次の要素：ＣＰＵ，ＲＡＭ，ハードディスクドライブ(HD)，インテグレーテッドＷｉ−Ｆｉ，イーサネット（登録商標）アダプタ，ＩＥＥＥ1394aポート，無線ＵＳＢ，ブルーツース，ＤＶＤプレーヤ及び／又はレコーダ，ＣＤプレーヤ及び／又はレコーダ，ＰＣＭＣＩＡスロット，ＰＣＩ Express，電源，キーボード，および他の標準ノートブックまたはタブレットコンピュータの要素：のうちの少なくとも1つを含むことができるが、これらに限定されない。モバイルコンピュータは、テレビジョン、スマートフォン、カメラ、ビデオレコーダ、プロジェクタまたは外部モニタのような外部装置への出力端子を含むこともできる。
【００４４】
特定の実施態様では、モバイルコンピュータは、Intel Centrino 915GM2GHz-Front Side Bus 533MHz, Integrated Intel Extreme Graphics processor、512MB DDR SDRAM expandable up to 2GB (2 SO-DIMM), 80.0GB Hard Drive、Integrated Wi-Fi (802.2 2b/g)、 PCMCIA for P Card type I/II)、 standard Wireless AirCard or wireless wide area network (WWAN) card for GSM/GPRS or PCS networks、Integrated 10/100 Ethernet（登録商標） (802.3) LAN、 Integrated USB 2.0、WUSB、Integrated Fire Wire (IEEE1394), Integrated Bluetooth (v.1.1)およびIntegrated DVD±R/RW CD-R/RW Driveを組み込む。
【００４５】
図7につき説明すると、特定の実施態様では、ディスプレイデバイスは、Lexan(登録商標)の透明筐体のような第１の筐体（図示せず）と、Advanced Link Photonics (ALP)株式会社（カリフォルニア州アービン所在）により製造されている偏光位相差膜のような、１５−６０パーセントの正反射率を有する半波長ミラーを具える第１の偏光位相差膜９０と、０−３０パーセントの表面ヘーズを有する第１拡散表面もしくは回折表面または素子１００と、冷陰極蛍光ランプ（ＣＣＦＬ）または発光ダイオード（ＬＥＤ）で周囲を取り囲まれた第１の光学級プラスチック板１１０と、０−６０パーセントの表面ヘーズを有する第２の拡散表面１２０と、ＡＬＰ社により製造されている半透過膜のような第１の半透過膜１３０と、ＬＣＤパネル１４０と、ＡＬＰ社により製造されている半透過膜のような第２の半透過膜１５０と、０−６０パーセントの表面ヘーズを有する第３の拡散表面１６０と、冷陰極蛍光ランプ（ＣＣＦＬ）または発光ダイオード（ＬＥＤ）で周囲を取り囲まれた第２の光学級プラスチック板１７０と、０−３０パーセントの表面ヘーズを有する第４の拡散表面もしくは回折表面または素子１８０と、ＡＬＰ社により製造されている偏光位相差膜のような、１５−６０パーセントの正反射率を有する半波長ミラーを具える第２の偏光位相差膜１９０と、Lexan(登録商標)の透明筐体のような第２筐体（図示せず）と、を具える。
【００４６】
本発明のＬＣＤディスプレイはディスプレイの照明のために周囲光を最適に利用するのが好ましい。
【００４７】
本発明の透明ＬＣＤ構成は任意の関連のまたは所望の用途に使用でき、例えばノートブック／タブレットコンピュータ、携帯電話、携帯情報端末、または、両側から見える画像を表示すると共に周囲光をディスプレイの照明に最適に利用する透明スクリーンが有益であるその他の付属品、例えばキャッシュレジスタ、ショーウインドウまたは電子ゲームに使用できるが、これらに限定されない。
【００４８】
特定の実施態様では、１つ以上のフォトセンサを透明スクリーン上の種々の位置、好ましくは透明スクリーンのエッジに隣接して位置させ、最も好ましくは透明スクリーンの両面に位置させる。フォトセンサは周囲光量を検出し、存在する周囲光の量に応答して出力信号を、好ましくは一定の間隔で、発生する。従って、一実施態様では、フォトセンサに結合されたドライバ回路（図示せず）がバックライト照明を調整してディスプレイ照明に対する周囲光の使用を最適化し、バックライト照明装置による電力消費を低減させて電池寿命を最大にする。本発明における周囲光使用の最適化機能は、本発明のスクリーンに対して、スクリーンに付与されたデフォルト照明設定またはユーザ調節可能な輝度またはコントラスト設定と協働させることができる。
【００４９】
一つの特定の実施態様では、ドライバ回路は信号を処理する制御システム（図示せず）を具える。１つ以上のフォトセンサは周囲光量に比例するアナログ電圧信号を発生する。フォトセンサは、スクリーンが晴れた日に屋外で使用される場合には曇った日に屋外で使用されるもしくは室内で使用される場合よりも高い電圧を発生する。発生した電圧信号はフォトセンサに結合された制御システムに伝送される。複数のフォトセンサを使用する場合には、それらのいくつかの電圧信号を合成し平均値、二乗平均値または他のユーザ決定値を計算して単一の出力フォトセンサ電圧信号を発生させる。この出力フォトセンサ電圧信号を次に透明スクリーンに対するデフォルト照明設定またはユーザ調節可能な輝度またはコントラスト設定により設定される基準電圧値と比較する。出力フォトセンサ電圧信号が基準電圧値を超える場合には、制御システムはバックライト装置にバックライトによるＬＣＤパネルの照明を下げる出力信号を送る。出力フォトセンサ電圧信号が基準電圧値より低い場合には、制御システムはバックライト装置にバックライトによるＬＣＤパネルの照明を上げる出力信号を送る。
【００５０】
他の実施態様では、ドライバ回路は信号を処理する制御システム（図示せず）を具える。1つ以上のフォトセンサは周囲光量に比例するアナログ電圧信号を発生する。フォトセンサは、スクリーンが晴れた日に屋外で使用される場合には曇った日に屋外で使用されるもしくは室内で使用される場合よりも高い電圧を発生する。アナログ−ディジタル変換器がこのアナログ信号をディジタル信号に変換する。このディジタル信号がフォトセンサに電気的に結合された制御システムに伝送される。複数のフォトセンサを使用する場合には、それらのいくつかの電圧信号を合成し平均値、二乗平均値または他のユーザ決定値を計算して単一の出力フォトセンサ電圧信号を発生させる。この出力フォトセンサ電圧信号を次に透明スクリーンに対するデフォルト照明設定またはユーザ調節可能な輝度またはコントラスト設定により設定される基準電圧値と比較する。出力フォトセンサ電圧信号が基準電圧値を超える場合には、制御システムはバックライト装置にバックライトによるＬＣＤパネルの照明を下げる出力信号を送る。出力フォトセンサ電圧信号が基準電圧値より低い場合には、制御システムはバックライト装置にバックライトによるＬＣＤパネルの照明を上げる出力信号を送る。
【図面の簡単な説明】
【００５１】
【図１】図１は本発明の一実施態様を示す。このモバイルコンピュータは、取り外し可能な多機能無線ディジタイザタブレットが透明ＬＣＤ構成の背後に取り付けられ、透明ＬＣＤ構成がノートブックコンピュータベースに固着されている。この構成は標準的なノートブックコンピュータに類似する。
【図２】図２は本発明の一実施態様を示す。このモバイルコンピュータは、透明ＬＣＤと結合されたノートブックコンピュータベースを含み、透明ＬＣＤが取り外し可能なモバイル多機能無線ディジタイザタブレットと結合され、この取り外し可能な多機能無線ディジタイザタブレットがノートブックコンピュータベースと透明ＬＣＤとの間に配置されている。この構成は標準的なスレートタブレットコンピュータに類似させてることができ、またスレートタブレットコンピュータに類似するよう位置しているときに標準的なコンバーチブルタブレットコンピュータに類似させることができる。
【図３】図３は本発明の一実施態様を示す。このモバイルコンピュータは透明ＬＣＤ構成の背後に取り付けられた取り外し可能な多機能無線ディジタイザタブレットを含む。が透明ＬＣＤから及びコンピュータベースから取り外される。この構成は標準的なノートブックコンピュータに類似する。
【図４】図４は本発明の一実施態様を示す。このモバイルコンピュータは透明ＬＣＤ構成の背後に取り付けられた取り外し可能な多機能無線ディジタイザタブレットを含み、ノートブックコンピュータベース内に位置するＣＤ／ＤＶＤドライブが付加的に示されている。この構成は標準的なノートブックコンピュータに類似する。
【図５】図５は本発明の一実施態様を示す。このモバイルコンピュータは透明ＬＣＤと結合されたノートブックコンピュータベースを含み、取り外し可能な多機能無線ディジタイザタブレットが透明ＬＣＤから取り外され且つコンピュータベースから取り外されている。取り外し可能な多機能無線ディジタイザタブレットは、このディジタイザタブレットおよびノートブックコンピュータベース内に位置する無線回路を介してコンピュータベースと通信できる。この実施態様では、取り外し可能な多機能無線ディジタイザタブレットが透明ＬＣＤ構成の背面から取り外されて透明ＬＣＤ構成の背面が露出しており、透明ＬＣＤ構成は画像がディスプレイデバイスの両側に位置する視聴者に同時に見えるように画像を第１表示面上および第２表示面上に表示し、表示画像は垂直軸を中心に反転させることができる。
【図６】図６は本発明の他の実施態様を示す。このモバイルコンピュータは、取り外し可能な多機能無線ディジタイザタブレットが透明ＬＣＤ構成の背面から取り外されている。取り外し可能な多機能無線ディジタイザタブレットはノートブックコンピュータベースの前方にあり、クレジット／デビットカード処理のための統合磁気ストライプリーダとスタイラスが示されている。更に、ノートブックコンピュータベースに組み込まれたＣＤ／ＤＶＤドライバ５０が示されている。
【図７】図７は本発明の一実施態様の透明ＬＣＤ構成の断面図を示す。
【図１】
2008511043.tif 000003
【図２】
2008511043.tif 000004
【図３】
2008511043.tif 000005
【図４】
2008511043.tif 000006
【図５】
2008511043.tif 000007
【図６】
2008511043.tif 000008
【図７】
2008511043.tif 000009
【国際調査報告】
2008511043.tif 000010
2008511043.tif 000011
2008511043.tif 000012
2008511043.tif 000013
2008511043.tif 000014